(57)【要約】      （修正有）【課題】背筋や腹筋以外の筋肉をストレッチすることでストレッチ効果を高めることができるストレッチ器具を提供する。【解決手段】ストレッチ器具１００は、臥位の運動者を支持する臀部載置台１１０および背部載置台１３０を備えている。臀部載置台１１０は、臥位の運動者の臀部が載置される座部１２１を備えるとともに床面に載置される臀部ベースフレーム１１１が回転台１１２を備えている。回転台１１２は、臀部載置台１１０に対して背部載置台１３０を回動自在に支持する。この回転台１１２は、引き板およびコイルスプリングを介して臀部ベースフレーム１１１に連結されることにより背部載置台１３０を中立位置に弾性的に位置決めする。また、回転台１１２は、座部１２１上における運動者の仙骨の直下位置に配置されている。背部載置台１３０は、運動者の背部が載置される背受け部１３３を備えている。【選択図】図５
2016137005.tif 000002
【特許請求の範囲】
【請求項１】
臥位の運動者の臀部が載置される臀部載置台と、
前記臥位の運動者の少なくとも背部が載置される背部載置台とを備え、
前記背部載置台は、
前記臀部載置台の外周に沿って円弧状に揺動可能な状態で同臀部載置台に支持されていることを特徴とするストレッチ器具。
【請求項２】
請求項１に記載したストレッチ器具において、
前記背部載置台は、
前記臀部載置台における前記運動者の仙骨の直下部分を中心に回動することを特徴とするストレッチ器具。
【請求項３】
請求項１または請求項２に記載したストレッチ器具において、
前記背部載置台は、
前記臀部載置台に対して傾斜可能であることを特徴とするストレッチ器具。
【請求項４】
請求項１ないし請求項３のうちのいずれか１つに記載したストレッチ器具において、さらに、
前記背部載置台を揺動中心位置に復帰させる中立位置復帰手段を備えることを特徴とするストレッチ器具。
【請求項５】
請求項１ないし請求項４のうちのいずれか１つに記載したストレッチ器具において、
前記背部載置台は、
床面上から浮いた状態で前記臀部支持台に支持されていることを特徴とするストレッチ器具。
【発明の詳細な説明】
【技術分野】
【０００１】
本発明は、運動者が臥位で上半身を横に曲げるストレッチを行うことができるストレッチ器具に関する。
【背景技術】
【０００２】
従来から、運動者が仰臥位でストレッチを行うことができるストレッチ器具がある。例えば、下記特許文献１には、運動者の臀部が載置される座部と運動者の背を受け止める背もたれ部とで構成されるとともにこの座部に対して倒れてフルフラットとなる背もたれ部に運動者の背骨に沿う長尺のクッション材からなる押圧部材を備えた座椅子（ストレッチ器具）が提案されている。これにより、運動者は、背中を反らして背筋や腹筋を伸ばすストレッチを行うことができる。
【先行技術文献】
【特許文献】
【０００３】
【特許文献１】実用新案登録第３１７７７８３号公報
【０００４】
しかしながら、上記特許文献１に記載されたストレッチ器具においては、背筋や腹筋を伸ばすストレッチを行うことができるが、ストレッチの対象は背筋や腹筋以外にもありこれらをストレッチすることができないという問題がある。
【０００５】
本発明は上記問題に対処するためなされたもので、その目的は、背筋や腹筋以外の筋肉をストレッチすることでストレッチ効果を高めることができるストレッチ器具を提供することにある。
【発明の概要】
【０００６】
上記目的を達成するため、本発明の特徴は、臥位の運動者の臀部が載置される臀部載置台と、臥位の運動者の少なくとも背部が載置される背部載置台とを備え、背部載置台は、臀部載置台の外周に沿って円弧状に揺動可能な状態で同臀部載置台に支持されていることにある。この場合、運動者の背部とは、運動者における背面（背中）における腰部から首部までの範囲における少なくとも一部であり、例えば、腰部のみも含むものである。
【０００７】
このように構成した本発明の特徴によれば、ストレッチ器具においては、臥位の運動者の背部が載置される背部載置台が運動者の臀部が載置されて床面に対して静止状態の臀部載置台に対して円弧状に揺動可能な状態で支持されているため、運動者は臥位において臀部に対して上半身を左右方向に曲げることで腹斜筋や大腰筋などの腹部や腰部の側方の筋肉や筋を伸縮させるストレッチを行うことができストレッチ効果を向上させることができる。この場合、臥位とは、運動者が寝た姿勢であり、具体的には、仰臥位、腹臥または側臥位がある。
【０００８】
また、本発明の他の特徴は、前記ストレッチ器具において、背部載置台は、臀部載置台における運動者の仙骨の直下部分を中心に回動することにある。
【０００９】
このように構成した本発明の他の特徴によれば、ストレッチ器具は、背部載置台が臀部載置台における運動者の仙骨の直下部分を中心に回動するため、運動者は腰部分を基点として無理なく自然な姿勢変化で上半身を曲げることができる。また、この場合、ストレッチ器具は、背部載置台が臀部載置台における運動者の仙骨と腰椎の接続部分（換言すれば、仙骨底）または腰椎の直下部分を中心に回動するようにしても腰部分を基点として上半身を曲げることができる。また、ストレッチ器具は、背部載置台が臀部載置台における運動者の脊椎の延長線の直下部分を中心に回動するようにしても腰部分の左右方向の中心部を基点として上半身を曲げることができる。
【００１０】
また、本発明の他の特徴は、前記ストレッチ器具において、背部載置台は、臀部載置台に対して傾斜可能であることにある。
【００１１】
このように構成した本発明の他の特徴によれば、ストレッチ器具は、背部載置台が臀部載置台に対して起き上がる方向に傾斜可能に支持されているため、運動者は仰臥位または伏臥位において上半身を下半身に対して起こした状態で左右方向に曲げるストレッチを行うことができる。また、ストレッチ器具は、背部載置台を起こすことで座椅子としても使用することもできる。
【００１２】
また、本発明の他の特徴は、前記ストレッチ器具において、さらに、背部載置台を揺動中心位置に復帰させる中立位置復帰手段を備えることにある。
【００１３】
このように構成した本発明の他の特徴によれば、ストレッチ器具は、背部載置台を揺動中心位置に復帰させる中立位置復帰手段を備えているため、運動者が上半身を左右方向に曲げる際に適度な負荷を与えることができるとともに、ストレッチ器具を使用しない状態において背部載置台を自動的に元の中立位置に復帰および維持することができる。なお、ここで背部載置台の中立位置とは、運動者が臥位において脊椎（背骨）がまっすぐに伸びた姿勢となる位置である。
【００１４】
また、本発明の他の特徴は、前記ストレッチ器具において、背部載置台は、床面上から浮いた状態で臀部支持台に支持されていることにある。
【００１５】
このように構成した本発明の他の特徴によれば、ストレッチ器具は、背部載置台が床面上から浮いた状態で臀部支持台に支持されているため、床面との摩擦を排して背部載置台を回動し易くすることができる。また、ストレッチ器具は、背部載置台が床面上から浮いているため、運動者が伏臥位で使用した際における顔面の床面への接触が避けられてストレッチを行い易くすることができる。
【図面の簡単な説明】
【００１６】
【図１】本発明の一実施形態に係るストレッチ器具の外観構成を斜め前方から概略的に示す前方斜視図である。
【図２】図１に示すストレッチ器具における内部構造を示すために外装部品（座部ベース、座部、背受け部）を省略した前方斜視図である。
【図３】図１に示すストレッチ器具における背部載置台の回動の様子を説明するための斜視図である。
【図４】図１に示すストレッチ器具において運動者の臀部における仙骨と回転ベースとの位置関係を説明するための平面図である。
【図５】図１に示すストレッチ器具の外観構成を側面方向から示す斜視図である。
【発明を実施するための形態】
【００１７】
以下、本発明に係るストレッチ器具の一実施形態について図面を参照しながら説明する。図１は、本発明に係るストレッチ器具１００の外観構成の概略を斜め前方から示した前方斜視図である。また、図２は、図１に示すストレッチ器具１００における内部構造を示すために外装部品（座部ベース１２０、座部１２１、背受け部１３３）を省略した前方斜視図である。このストレッチ器具１００は、運動者が臥位の姿勢で上半身を下半身に対して左右方向に曲げるストレッチを行う器具である。
【００１８】
（ストレッチ器具１００の構成）
ストレッチ器具１００は、主として、臀部載置台１１０と背部載置台１３０とで構成されている。臀部載置台１１０は、臥位でストレッチを行う運動者の臀部が載置される部分であり、臀部より大きな平面視で方形の台状に形成されている。この臀部載置台１１０は、臀部ベースフレーム１１１を備えている。臀部ベースフレーム１１１は、臀部載置台１１０を床面上に載置するとともにストレッチ器具１００全体を支持する部分であり、金属製の角パイプ材（断面形状が方形の中空棒状の部材）からなる複数の臀部フレーム材１１１ａ〜１１１ｆを互いに組んで構成されている。
【００１９】
より具体的には、臀部ベースフレーム１１１は、ストレッチ器具１００の前後方向に延びる２つの臀部フレーム材１１１ａ，１１１ｂにストレッチ器具１００の幅方向に延びる４つの臀部フレーム材１１１ｃ〜１１１ｆをそれぞれ架設した略梯子状に形成されている。これらのうち、臀部フレーム材１１１ａ，１１１ｂは、後述する起上り連結具１１７よりもストレッチ器具１００の後方側、すなわち、背部載置台１３０の下方まで延びている。また、臀部フレーム材１１１ｄ，１１１ｅ上には、回転台１１２が設けられている。
【００２０】
回転台１１２は、図３に示すように、後述する背部載置台１３０を臀部載置台１１０に対して回動させるための部品であり、互いに対向する２つの板状体からなる第１プレート１１２ａと第２プレート１１２ｂとが図示しないベアリングを介して互いに連結されて構成されている。この回転台１１２は、第１プレート１１２ａが臀部フレーム材１１１ｄ，１１１ｅ上に固定的に組み付けられているとともに、第２プレート１１２ｂに引き板１１３および第１背部支持フレーム１１６がそれぞれ組み付けられている。
【００２１】
この場合、回転台１１２は、図４に示すように、臀部載置台１１０上に載置される運動者の臀部内部の仙骨Ｓａの直下となる位置に回転中心が位置するように臀部載置台１１０内に配置されている。本実施形態においては、回転台１１２は、臀部載置台１１０上に載置される運動者における仙骨Ｓａと腰椎Ｌｕとの接続部（換言すれば、仙骨底）の直下となる位置に回転中心が位置するように臀部載置台１１０内に配置されている。なお、図３においては、背部載置台１３０の回動状態を二点鎖線で示している。また、図４においては、運動者の骨盤、腰椎Ｌｕおよび大腿骨を破線で示し、座部ベース１２０および座部１２１を二点鎖線で示している。
【００２２】
引き板１１３は、回転台１１２の第２プレート１１２ｂを回転方向上における特定の向きに弾性的に向けるための部品であり、金属製の板状体で構成されている。より具体的には、引き板１１３は、回転台１１２の回転中心からストレッチ器具１００の前方に向かって延びる中心線上に延びる板状で構成されており、一方の端部が第２プレート１１２ｂに連結されるとともに他方の端部が３つのコイルスプリング１１４を介して受け台１１５に連結されている。この場合、ストレッチ器具１００の前方とは、ストレッチ器具１００上に運動者が臥位した場合における運動者の脚が延びる方向である。
【００２３】
３つのコイルスプリング１１４は、第２プレート１１２ｂを特定の回転方向上の向きに向けるために引き板１１３を介して第２プレート１１２ｂを引っ張るための部品である。これら３つのコイルスプリング１１４は、引き板１１３に対して互いに同じ引張力を発生するように同じばね定数で構成されている。具体的には、３つのコイルスプリング１１４は、一方の端部がそれぞれ引き板１１３の端部に掛けられるとともに、他方の端部が臀部フレーム材１１１ａ，１１１ｂ，１１１ｃ上における各受け台１１５にそれぞれ掛けられている。すなわち、３つのコイルスプリング１１４は、合力がストレッチ器具１００の前方に作用するように引き板１１３に連結されている。これにより、第２プレート１１２ｂは、３つのコイルスプリング１１４の合力によってストレッチ器具１００の前方側に常に引っ張られた状態で背部載置台１３０を支持する。
【００２４】
受け台１１５は、主として、回転台１１２の上方で座部ベース１２０を支持するための部品であり、臀部ベースフレーム１１１の４辺、具体的には、臀部フレーム材１１１ａ，１１１ｂ，１１１ｃ，１１１ｆ上においてそれぞれ上方に延びて形成されている。これら４つの各受け台１１５は、金属製の角パイプ材で構成されるとともに、互いに連結された臀部フレーム材１１１ａ，１１１ｂ，１１１ｃ，１１１ｆ上で互いに隣接する受け台１１５同士が連結支持板１１５ａによって互いに連結されている。また、４つの受け台１１５のうちの臀部フレーム材１１１ａ，１１１ｂ上にそれぞれ設けられた受け台１１５に前記３つのコイルスプリング１１４がそれぞれ連結されている。
【００２５】
第１背部支持フレーム１１６は、回転台１１２に背部載置台１３０を連結するための部品であり、ストレッチ器具１００の左右の幅方向に延びる金属製の角パイプ材で構成されている。この第１背部支持フレーム１１６は、回転台１１２側の側面が金属製の角パイプ材によって第２プレート１１２ｂに連結されるとともに、背部載置台１３０側の側面の両端部にそれぞれ起上り連結具１１７を介して背部載置台１３０が連結されている。
【００２６】
２つの起上り連結具１１７は、図５に示すように、背部載置台１３０を臀部載置台１１０と平行な水平状態に支持するとともに背部載置台１３０を臀部載置台１１０に対して傾斜した状態で支持するための部品であり、内部に図示しないラチェット機構を有して構成されている。これらの起上り連結具１１７は、運動者の手動操作によって背部載置台１３０を臀部載置台１１０に対して０°（水平状態）〜４５°の角度範囲で段階的に角度を固定することができる。そして、これらの起上り連結具１１７は、一方の端部側が第１背部支持フレーム１１６に連結されるとともに、この一方の端部側に対して角度を変化させることができる他方の端部側がストレッチ器具１００の後方側に延びて背部載置台１３０に連結されている。なお、図５においては、背部載置台１３０の傾斜状態を二点鎖線で示している。
【００２７】
また、第１背部支持フレーム１１６における背部載置台１３０側の側面の中央部には、支持ローラ１１８が設けられている。支持ローラ１１８は、第１背部支持フレーム１１６を回転台１１２とともに支持する部品であり、ベアリングの外周部が硬質樹脂で覆われた円筒状に構成されている。この支持ローラ１１８は、臀部フレーム材１１１ｅと臀部フレーム材１１１ｆ間に架設された金属板製の転動板１１９上を転動するように第１背部支持フレーム１１６に回転自在な状態で取り付けられている。
【００２８】
座部ベース１２０は、座部１２１を支持するとともに臀部載置台１１０の内部構造を覆う部品であり、金属製の平板によって構成されている。具体的には、座部ベース１２０は、臀部ベースフレーム１１１上における第１背部支持フレーム１１６よりも前側部分および臀部ベースフレーム１１１の前面部分をそれぞれ覆う形状の２つの板状体を側面視でＬ字状に接合して構成されている。この座部ベース１２０は、連結支持板１１５ａを介して受け台１１５によって図示しないビスを介して固定的に支持されている。
【００２９】
座部１２１は、運動者の臀部から大腿部にかけての部分が載置される部品であり、運動者を弾性的に受け止めるクッション材（例えば、ウレタン樹脂）によって構成されている。この座部１２１は、概ね前記座部ベース１２０を覆う形状に形成されている。すなわち、座部１２１は、運動者の臀部が載置される載置部１２１ａと載置部１２１ａの前側端部が下方に下垂した前面部１２１ｂとで構成されている。この場合、座部１２１における載置部１２１ａは、背部載置台１３０側の幅方向両端部が背部載置台１３０の揺動領域を確保しつつ同背部載置台１３０の揺動限界を規定するために平面視で三角形状に切り欠かれている。
【００３０】
背部載置台１３０は、臥位の運動者の上半身が載置される部分であり、運動者の背部より大きな平面視で方形の板状に形成されている。この背部載置台１３０は、背部ベースフレーム１３１を備えている。背部ベースフレーム１３１は、運動者の上半身の荷重を支持する部品であり、金属製の角パイプ材からなる複数の背部臀部フレーム材１３１ａ〜１３１ｆを互いに組んで構成されている。
【００３１】
より具体的には、背部ベースフレーム１３１は、ストレッチ器具１００の前後方向に延びる２つの背部フレーム材１３１ａ，１３１ｂにストレッチ器具１００の幅方向に延びる３つの背部フレーム材１３１ｃ〜１３１ｅをそれぞれ架設した略梯子状に形成されている。これらのうち、背部フレーム材１３１ａ，１３１ｂにおける臀部載置台１１０側の端部には、第２背部支持フレーム１３２が設けられている。
【００３２】
第２背部支持フレーム１３２は、背部載置台１３０を２つの起上り連結具１１７にそれぞれ連結するための部品であり、ストレッチ器具１００の左右の幅方向に延びる金属製の角パイプ材で構成されている。これにより、背部ベースフレーム１３１は、第２背部支持フレーム１３２、起上り連結具１１７および第１背部支持フレーム１１６をそれぞれ介して回転台１１２に連結されている。また、背部ベースフレーム１３１は、臀部ベースフレーム１１１の上面よりも上方、すなわち、臀部載置台１１０が載置される床面Ｇから浮いた状態で支持される。これにより、ストレッチ器具１００は、臀部載置台１１０および背部載置台１３０が床面に対してそれぞれ平行、換言すれば、水平に延びて形成されている。
【００３３】
背部ベースフレーム１３１の外側には、背受け部１３３が設けられている。背受け部１３３は、運動者の上半身が載置されるとともに背部ベースフレーム１３１の外周部を覆う部品であり、運動者を弾性的に受け止めるクッション材（例えば、ウレタン樹脂）によって構成されている。この背受け部１３３は、運動者の腰および肩部がそれぞれ載置される部分が運動者の背が載置される部分よりも盛り上がって形成されている。
【００３４】
この背部載置台１３０は、この背部載置台１３０とともに回動する第１背部支持フレーム１１６が臀部フレーム材１１１ｅ上の受け台１１５に当たることによって回動範囲が規定される。本実施形態においては、背部載置台１３０は、背部載置台１３０の中立位置から左右方向にそれぞれ最大で３２.５°の角度範囲で回動するように構成されている。
【００３５】
（ストレッチ器具１００の作動）
次に、このように構成したストレッチ器具１００の作動について説明する。まず、このストレッチ器具１００を使用する運動者は、ストレッチ器具１００を用意して床面Ｇなどに設置する。この場合、運動者は、臀部載置台１１０を床面Ｇ上に載置する。
【００３６】
次に、運動者は、ストレッチ器具１００上に臥位で載る。具体的には、運動者は、自身の臀部を臀部載置台１１０の座部１２１上に載置するとともに自身の背部を背部載置台１３０の背受け部１３３上に載置する。すなわち、運動者は、臀部載置台１１０および背部載置台１３０上に仰臥する。この場合、運動者は、自身の足を床面に着けた状態で臀部載置台１１０および背部載置台１３０上に仰臥する。
【００３７】
次に、運動者は、仰臥位において自身の上半身を下半身に対して左側または右側に曲げる。この場合、ストレッチ器具１００は、背部載置台１３０が臀部載置台１１０に対して回転台１１２によって回動可能に連結されているため、背部載置台１３０が臀部載置台１１０の外周部に沿って円弧状に回動する。この背部載置台１３０の回転時において臀部載置台１１０における支持ローラ１１８は、転動板１１９上を転動しながら第１背部支持フレーム１１６を支持する。これらにより、運動者は、上半身を容易に左側または右側に曲げることができる（図３参照）。
【００３８】
また、この場合、運動者は、ストレッチ器具１００における回転台１１２が臀部載置台１１０上の運動者の仙骨Ｓａの下方に配置されているため、腰部（本実施形態においては、仙骨底）を基点として無理なく自然な姿勢変化で上半身を曲げることができる。また、運動者は、背部載置台１３０が床面Ｇから浮いた状態で座部載置台１１０に支持されているため、背部載置台１３０を円滑に回動させることができる。また、運動者は、背部載置台１３０をコイルスプリング１１４の弾性力に抗しながら回動させるため、ストレッチ効果が高まるとともに背部載置台１３０を適度な抵抗力で回動させることにより自由に回動させる場合に比べて回動速度や回動角度位置のコントロールが行ない易くなる。
【００３９】
したがって、運動者は、自身の上半身を左右に曲げて背部載置台１３０を左右方向に揺動させることによりストレッチを行うことができる。この場合、運動者は、コイルスプリング１１４の中立位置に戻ろうとする復帰力によって脊椎をまっすぐにした正姿勢に容易に復帰することができる。そして、運動者は、臀部載置台１１０および背部載置台１３０から離脱することによってストレッチ器具１００の使用を終了することができる。
【００４０】
一方、運動者は、背部載置台１３０を把持して臀部載置台１１０に対する角度を変更して起上り連結具１１７が規定する背部載置台１３０の角度を変更することにより背部載置台１３０の臀部載置台１１０に対する角度を変更して上半身が少し起きた姿勢でストレッチを行うことができる（図５参照）。また、運動者は、仰臥位に代えて伏臥位、すなわち、運動者の下腹部から大腿部に掛けての部分を臀部載置台１１０の座部１２１上に載置するとともに自身の腹部から胸部および頭部に掛けての部分を背部載置台１３０の背受け部１３３上に載置してストレッチを行うこともできる。また、運動者は、側臥位でストレッチ、すなわち、身体を前屈または後屈させるストレッチを行うこともできる。
【００４１】
上記作動説明からも理解できるように、上記実施形態によれば、ストレッチ器具１００においては、臥位の運動者の背部が載置される背部載置台１３０が運動者の臀部が載置される臀部載置台１１０に対して円弧状に揺動可能な状態で支持されているため、運動者は臥位において臀部に対して上半身を左右方向に曲げることで腹斜筋などを伸縮させるストレッチを行うことができストレッチ効果を向上させることができる。
【００４２】
さらに、本発明の実施にあたっては、上記実施形態に限定されるものではなく、本発明の目的を逸脱しない限りにおいて種々の変更が可能である。
【００４３】
例えば、上記実施形態においては、ストレッチ器具１００は、背部載置台１３０が臀部載置台１１０において運動者の仙骨Ｓａの直下を中心として回動するように構成した。しかし、ストレッチ器具１００は、背部載置台１３０が臀部載置台１１０の外周に沿って回動するように臀部載置台１１０に支持されていればよい。したがって、ストレッチ器具１００は、例えば、背部載置台１３０が臀部載置台１１０において座部１３１の載置部１２１ａの中心を中心として回動するように構成してもよい。また、ストレッチ器具１００は、例えば、背部載置台１３０が臀部載置台１１０において運動者の腰椎Ｌｕの直下を中心として回動するように構成してもよい。また、ストレッチ器具１００は、背部載置台１３０が臀部載置台１１０における座部１３１の載置部１２１ａから張り出した位置、例えば、背部載置台１３０側に張り出した位置（例えば、上記実施形態における支持ローラ１１８の位置）を中心として回動するように構成してもよい。これらの場合、また、ストレッチ器具１００は、背部載置台１３０が臀部載置台１１０における運動者の脊椎の延長線の直下部分を中心に回動するようにしても腰部分の左右方向の中心部を基点として上半身を曲げることができる。
【００４４】
また、上記実施形態においては、ストレッチ器具１００は、背部載置台１３０が臀部載置台１１０に対して起き上がる方向に傾斜可能に構成した。しかし、背部載置台１３０は、少なくとも運動者が臥位で載ることができればよく、必ずしも傾斜角が可動的に構成される必要はない。すなわち、ストレッチ器具１００は、起上り連結具１１７を省略して臀部載置台１１０に背部載置台１３０を直接連結することもできる。この場合、ストレッチ器具１００は、背部載置台１３０が臀部載置台１１０に対して水平状態のみで固定的に支持されるように構成できる。ここで、背部載置台１３０の水平状態とは、運動者が臥位となる角度範囲を含むものであり、水平状態（０°）から３０°程度まで起きる角度を含むものである。
【００４５】
また、上記実施形態においては、背部載置台１３０は、臀部載置台１１０が載置される床面Ｇから浮いた状態となるように構成した。しかし、背部載置台１３０は、臀部載置台１１０が載置される床面に着いた状態で構成することもできる。この場合、ストレッチ器具１００は、背部載置台１３０の回動抵抗が大きくなるため、運動者のストレッチ負荷を高めることができる。なお、この場合、ストレッチ器具１００は、背部載置台１３０における床面Ｇに対向する背面に転動自在な球体を設けることによって回動抵抗を減少させることができる。
【００４６】
また、上記実施形態においては、ストレッチ器具１００は、引き板１１３および３つのコイルスプリング１１４からなる中立位置復帰手段によって背部載置台１３０が中立位置に自動的に復帰するように構成した。しかし、ストレッチ器具１００は、背部載置台１３０が自動的に中立位置に復帰する必要がない場合には、中立位置復帰手段を省略して構成することができる。これによれば、ストレッチ器具１００は、背部載置台１３０を少ない抵抗力で回動させることができるとともに背部載置台１３０を任意の回転角度位置で静止させることもできる。
【００４７】
また、上記実施形態においては、ストレッチ器具１００は、回動規定部１２１ｃによって背部載置台１３０が背部載置台１３０の中立位置から左右方向にそれぞれ最大で３２.５°の角度で揺動するように構成した。しかし、背部載置台１３０の揺動角度範囲は、ストレッチ器具１００の仕様に応じて適宜決定されるものであり、必ずしも３２.５°の角度範囲に限定されるものではない。したがって、背部載置台１３０は、中立位置に対して３２.５°以下、または３２.５°を超える角度で回動するように構成することもできる。また、ストレッチ器具１００は、背部載置台１３０が、中立位置に対して左右方向に互いに異なる角度範囲で回動するように構成することもできる。
【符号の説明】
【００４８】
Ｕ…運動者、Ｓａ…仙骨、Ｌｕ…腰椎、Ｇ…床面、
１００…ストレッチ器具、
１１０…臀部載置台、１１１…臀部ベースフレーム、１１１ａ〜１１１ｆ…臀部フレーム材、１１２…回転台、１１２ａ…第１プレート、１１２ｂ…第２プレート、１１３…引き板、１１４…コイルスプリング、１１５…受け台、１１５ａ…連結支持板、１１６…第１背部支持フレーム、１１７…起上り連結具、１１８…支持ローラ、１１９…転動板、
１２０…座部ベース、１２１…座部、１２１ａ…載置部、１２１ｂ…前面部、
１３０…背部載置台、１３１…背部ベースフレーム、１３１ａ〜１３１ｅ…背部フレーム材、１３２…第２背部支持フレーム、１３３…背受け部。
【図１】
2016137005.tif 000003
【図２】
2016137005.tif 000004
【図３】
2016137005.tif 000005
【図４】
2016137005.tif 000006
【図５】
2016137005.tif 000007